(57)【要約】【課題】パウチの「持ちやすさ」「内容物の出しやすさ」の向上を目指し、また、幅広い年代の消費者が、スムースにパウチを使用することを可能とする「ユニバーサルデザイン」に基づいたパウチを提供することである。【解決手段】上下左右のフィルム外周をシールしてなるパウチであって、該パウチの上シール部分の切除片を切除して初期開封するパウチにおいて、前記パウチの左右のシール幅が、パウチの開口にかけて増す斜めシールを形成することにより、収容部が開口へと狭まるとともに、開口にかけて幅広なシール部分からなる把持部を形成したことを特徴とする、ユニバーサルデザインパウチである。【選択図】図１
2008062961.tif 000002
【特許請求の範囲】
【請求項１】
上下左右のフィルム外周をシールしてなるパウチであって、該パウチの上シール部分の切除片を切除して初期開封するパウチにおいて、
前記パウチの少なくとも一方の左右シール幅が、パウチの開口にかけて増す斜めシールを形成することにより、収容部が開口へと狭まるとともに、開口にかけて幅広なシール部分からなる把持部を形成したことを特徴とする、ユニバーサルデザインパウチ。
【請求項２】
前記パウチの少なくとも一方の左右のシール幅が、前記パウチの開口にかけて増す前記斜めシールの下方から、さらにパウチの少なくとも一方の左右のシール幅がパウチの底部にかけて増す斜めシールを形成することにより、収容部が底部へと狭まるとともに、底部にかけて幅広なシール部分からなる把持部を形成したことを特徴とする、請求項１記載のユニバーサルデザインパウチ。
【請求項３】
前記パウチの下シール部に、パウチの開口へと凸形状からなる、凸シール部を形成したことを特徴とする、請求項１乃至２記載のユニバーサルデザインパウチ。
【請求項４】
前記斜めシールは、少なくとも一部の湾曲部分を有することを特徴とする、請求項１乃至３記載のユニバーサルデザインパウチ。
【請求項５】
前記パウチのシール形状が左右対称であることを特徴とする、請求項１乃至４記載のユニバーサルデザインパウチ。
【発明の詳細な説明】
【技術分野】
【０００１】
本発明は、環境および使う人（消費者）への配慮を重視したユニバーサルデザインに対応したパウチ（ユニバーサルデザインパウチ）に関する。
【背景技術】
【０００２】
従来、主にレトルト食品や、詰め替え用の洗剤、或いは無菌包装食品、鮮度保持包装食品、医薬品等の内容物を密封包装した包装体（パウチ）が知られている。他方、近年できるだけ多くの人が利用可能であるようデザインすることを念頭に開発されたユニバーサルデザイン商品があり、ユニバーサルデザイン商品の一例としては、安全に配慮された自動ドア、エレベータや、外国人などのために、文字の代わりに絵文字を使っての各種表示を行うものや、シャンプーのボトルに凹凸加工による印をつけ、リンスその他のボトルと区別するものがある。
【０００３】
このようにユニバーサルデザインの目的としては、だれでも公平に使えること、使う上で自由度が高いこと、使い方が簡単で、すぐに分かること、必要な情報がすぐに分かること、うっかりミスが危険につながらないこと、身体への負担が少ないこと、接近や利用するための十分な大きさと空間を確保すること、を目的としており、今後、このようなユニバーサルデザインに沿った様々な商品の開発が望まれている。
【発明の開示】
【発明が解決しようとする課題】
【０００４】
このようなユニバーサルデザインの考え方に基づき、本発明者らは、ユニバーサルデザインに対応したパウチを提供すべく、消費者に対し面接調査や実態調査等を行ったところ下記に示すようなパウチの使用実態の傾向を見出した。
【０００５】
すなわち、パウチの使用実態の傾向の一例として、パウチの初期開封時においては、
１、パウチ上部の一端をつかみ、パウチを保持する傾向がある。
２、パウチを開封する際に、開封しやすいように、また、力を加えやすいように、一旦持ったパウチを途中で持ち替える傾向がある。
３、パウチの一端をつかみ、パウチをぶら下げた状態で、パウチの他端をつまんでひねるようにして切除片を切除し開封する傾向がある。（このとき、利き手で切除片をつまむ場合と、逆に、利き手でパウチ本体側を保持する場合とがある。）
４、パウチ開封時に、ノッチ下方のパウチ本体側をつまんだ手と、切除片をつまんだ手とが、パウチの開封に伴い徐々に離れていくに従って、パウチの保持状態が不安定となり、パウチの開封途中で開封を中断し、再度パウチを持ち直した後、反対側の開封端から開封する傾向がある。
５、パウチの開封に、はさみを用いた場合には、パウチの本体側を保持する手が、はさみを避けようとする傾向があり、パウチの保持状態が不安定となる傾向がある。
６、パウチの開封時、切除片をスムースに切除することができず、フィルムを引きちぎろうと力を加えた途端に内容物が飛び散ってしまう傾向がある。
以上が、パウチを開封するときに一般の消費者に見られる傾向であった。
【０００６】
また、開封後のパウチを実際に使用する際においては、
７、パウチの形状が不安定なため、開口と底部とを保持する傾向がある。
８、パウチ左右部分を把持して、パウチを寝かした状態で内容物を注ぐ場合と、パウチの底部分を把持して、パウチを垂直に立てた状態で内容物を注ぐ場合とがある。
９、パウチの開口から内容物を注ぎ出す際に、開口が大きく、内容物が一度に早くたくさん出てしまい、目的とする箇所へと注ぐためのコントロールが難しい。
１０、内容物を注ぎだす際に、目的とする箇所へと注ぐために、開口の形状を漏斗状に保ち補助する傾向がある。
１１、パウチから内容物を注ぎだした後、パウチを持ち替えて底部を把持するとともに、底部にたまった内容物を注ぎ出す。
以上が、パウチの内容物を注ぎだす際に一般の消費者に見られる傾向である。
【０００７】
以上のように、消費者のパウチの使用状況を調査したところ、前記「傾向１〜６」に示したように、パウチの開封操作を卓上に置いた状態でなく、空中で行なうケースが多いことがわかった。また、前記「傾向７〜１１」に示したように、内容物を取り出す際に、パウチを把持するためのシール部分が少ないため、パウチの保持が不安定なばかりでなく、開口が広いために、内容物を目的とする箇所に注ぐことが困難であることを見出した。
【０００８】
そして、パウチの初期開封時に、パウチを安定かつ強固に保持する構成、および、内容物を目的とする箇所へと注ぎやすくする構成が必要であることがわかった。
【０００９】
そこで、このような傾向から見出した課題を解決すべく、本発明は、パウチの「持ちやすさ」「内容物の取り出しやすさ」の向上を目指し、また、幅広い年代の消費者が、スムースにパウチを使用することを可能とするユニバーサルデザインに基づいたパウチを提供することである。
【課題を解決するための手段】
【００１０】
これらの課題を解決するため、本発明の請求項１記載の発明は、上下左右のフィルム外周をシールしてなるパウチであって、該パウチの上シール部分の切除片を切除して初期開封するパウチにおいて、
前記パウチの少なくとも一方の左右シール幅が、パウチの開口にかけて増す斜めシールを形成することにより、収容部が開口へと狭まるとともに、開口にかけて幅広なシール部分からなる把持部を形成したことを特徴とする、ユニバーサルデザインパウチである。
【００１１】
また、請求項２記載の発明は、前記パウチの少なくとも一方の左右のシール幅が、前記パウチの開口にかけて増す前記斜めシールの下方から、さらにパウチの少なくとも一方の左右のシール幅がパウチの底部にかけて増す斜めシールを形成することにより、収容部が底部へと狭まるとともに、底部にかけて幅広なシール部分からなる把持部を形成したことを特徴とする、ユニバーサルデザインパウチである。
【００１２】
また、請求項３記載の発明は、前記パウチの下シール部に、パウチの開口へと凸形状からなる、凸シール部を形成したことを特徴とする、ユニバーサルデザインパウチである。
【００１３】
また、請求項４記載の発明は前記斜めシールは、少なくとも一部の湾曲部分を有することを特徴とする、ユニバーサルデザインパウチである。
【００１４】
また、請求項５記載の発明は、前記パウチのシール形状が左右対称であることを特徴とする、ユニバーサルデザインパウチである。
【発明の効果】
【００１５】
このように、本発明の請求項１記載の発明は、上下左右のフィルム外周をシールしてなるパウチであって、該パウチの上シール部分の切除片を切除して初期開封するパウチにおいて、
前記パウチの少なくとも一方の左右シール幅が、パウチの開口にかけて増す斜めシールを形成することにより、収容部が開口へと狭まるとともに、開口にかけて幅広なシール部分からなる把持部を形成したことを特徴とするから、パウチの開口にかけて収容部が狭まるため内容物を目的の場所へと注ぎやすくなる効果があるとともに、開口にかけて形成された、左右の幅広なシール部分からなる把持部を強固につまむことができ、パウチの開封時のみならず内容物を取り出す際に、パウチを安定して確実に保持することが可能である。よって、パウチの開封および内容物の取り出しをスムースかつ容易に行なうことが可能である。
【００１６】
また、請求項２記載の発明は、前記パウチの少なくとも一方の左右のシール幅が、前記パウチの開口にかけて増す前記斜めシールの下方から、さらにパウチの少なくとも一方の左右のシール幅がパウチの底部にかけて増す斜めシールを形成することにより、収容部が底部へと狭まるとともに、底部にかけて幅広なシール部分からなる把持部を形成したことを特徴とするから、開口にかけて、左右の幅広なシール部分からなる把持部が形成されるとともに、パウチの底部にかけて、左右の幅広なシール部分からなる把持部が形成されて、パウチの開封時のみならず内容物を取り出す際にも、パウチを安定かつ確実に保持することが可能である。よって、パウチの開封操作および内容物の取り出し操作をスムースかつ容易に行なうことが可能である。
【００１７】
また、請求項３記載の発明は、前記パウチの下シール部に、パウチの開口へと凸形状からなる、凸シール部を形成したことを特徴とするから、パウチの底部を把持することが可能であるとともに、パウチを縦方向に折り込むことを視覚に訴える効果がある。よって、パウチを折り込んだ状態でも内容物を注ぎやすい効果がある。
【００１８】
また、請求項４記載の発明は、前記斜めシールは、少なくとも一部の湾曲部分を有することを特徴とするから、収容部の左右側のシール形状が滑らかな曲線形状を形成して、収容部のコーナー部分に内容物が溜まることを防ぐ効果があるとともに、内容物を注ぎ出す際に、曲線形状のシールに沿って内容物がスムースに流動する効果がある。
【００１９】
また、請求項５記載の発明は、前記パウチのシール形状が左右対称であることを特徴とするから、パウチを縦方向に折り込んでも同形状となることを直感的かつ視覚的に訴える効果があるとともに、パウチの折り込んだ際に収容部が重ね合わされて同形状を形成するため、内容物を絞り出しやすい効果がある。
【００２０】
このように、本発明のユニバーサルデザインパウチは、パウチの少なくとも一方の左右のシール幅が、パウチの開口にかけて増す斜めシールを形成する簡単な構成により、収容部が開口へと狭まるとともに、開口にかけて幅広なシール部分からなる把持部を形成して、パウチの開封操作から内容物の取り出し操作までの一連の操作を、容易、確実かつスムースに行なうことができるパウチ（ユニバーサルデザインパウチ）を提供することが可能である。
【発明を実施するための最良の形態】
【００２１】
本発明のユニバーサルパウチ１０（パウチ１０）の一例としては、図１に示すように、パウチ１０の中央部分に、予め所定の方法により内容物が充填される未シール部分からなる収容部１を有し、該収容部１の上シール部２と、左右のシール部３と、底シール部４との、計４辺にヒートシールが施され４方シールパウチ１０を形成している。このようなパウチ１０としては、四方シール形式のパウチに限らず、スタンドパウチや、ガゼット袋やピロー袋など、フィルムの外周をシールしてなるパウチ１０であれば、パウチ１０の種類や形状は限定されるものではない。
【００２２】
そして、パウチ１０の上方には、収容部１を横切り水平方向へと切取り可能な切取り線５が形成され、該切取り線５の両端には、前記切取り線５を切り取る際の起点となるノッチ６が形成されている。
【００２３】
特に、パウチ１０の上下左右の各シール部２、３、４のうち、左右のシール部３の形状は、左右のシール幅３が底部４（下方）から開口１１（上方）にかけて増す斜めシール形状７Ａを有している。すなわち、開口１１直下のシール幅Ｗ１が、パウチの略中央部分のシール幅Ｗ２および底部４直上のシール幅Ｗ３より大となるように形成されており、これにより、パウチ１０の外形が略四角形状であるのに対して収容部１の外形が略台形の形状を形成するため、左右のシール部の上方部分にかけて幅広Ｗ１のシールからなる把持部８Ａを形成することが可能である。
【００２４】
よって、パウチ開封時において、図２に示すように、ノッチ６部分の把持部８Ａを指先で強固につまみ、少ない力でもって確実にパウチ１０の初期開封を行うことが可能である。そして、前記ノッチ６を起点として、前記上シール部２を含む切取り線５上方のフィルム（切除片９）を切除することにより、図３に示すように、パウチ１０の初期開封を行い、内容物の注ぎ出し口（開口１１）を形成するものである。
【００２５】
特に、開封後のパウチ１０は、収容部１が開口１１にかけて狭まる形状をなすとともに、開口１１の左右側にそれぞれ幅広なシール部分からなる把持部８Ａを形成することが可能である。
【００２６】
よって、内容物を取り出す際に、開口１１付近の把持部８Ａをつまみパウチ１０を安定して保持することが可能であり、さらには、内容物が開口１１にかけて収束しつつ注ぎ出されるため、内容物を一点に集中して注ぎ出すことが可能である。
【００２７】
このように本発明のユニバーサルパウチ１０は、左右のシール部３のシール幅が、底部４（下方）から開口１１（上方）にかけて増す、斜めシール７を形成することにより、収容部１が開口１１にかけて狭まるとともに、前記開口１１にかけて幅広なシール部分からなる把持部８を形成する構成である。よって、この把持部８を強固につまんでパウチ１０を安定して保持することができるから、パウチ１０の開封操作および内容物の取り出し操作を、スムースかつ容易に行なうことが可能である。さらには、収容部１が開口１１にかけて狭まる形状であるから、内容物を一点に集中して目的とする箇所へと注ぎ出しやすい効果がある。
【００２８】
また、パウチ底部の下シール部４には、開口１１へと凸形状からなる凸シール部１２が形成されており、下シール部４の収容部１側が凹凸凹形状からなる滑らかな湾曲形状をなしている。よって、パウチの底部分にも凸シール部１２からなる把持部分を形成することが可能であり、パウチを折り込む際にも、パウチの底部分を把持してパウチを半分に折込みやすくなる効果がある。また、パウチ１０を半分に折ることを直感的かつ視覚的に認識させる効果がある。
【００２９】
例えば、パウチ１０から内容物を注ぎ出した後、パウチ内部に残った内容物を絞り出す際に、図４に示すように、パウチ１０を半分に折り、該半分に折った状態のパウチ１０を、指間（親指と人差指の間）に挟んだ状態で開口１１へと絞り出す操作を行なうことがあるが、このとき、底部分の凸シール部１２からなる幅広なシール部分を把持してパウチを半分に折込みやすく、また、パウチ１０の左右のシール部３が互いに接するとともに、左右のシール部３に形成された斜めシール７Ａ部分が折り合わされるため、指で絞り出す際に、内容物を開口１１にかけて収束させて絞り出すことが可能である。よって、内容物を余すことなくきれいに絞り出すことが可能である。
【００３０】
パウチの下シールに形成された前記凸シール部１２は、下シールの中央部分に限らず、下シール部の左側、右側、または左右それぞれに形成してもよく、上記例に限定されるものではない。
【００３１】
以上のように、本発明のパウチ１０は、パウチ開封時に開口１１の把持部８Ａを強固につまみ安定したパウチの開封を行なうことができるとともに、内容物の取り出し時にパウチの開口１１およびパウチの底部に形成された把持部８Ｂを強固につまみ安定してパウチ１０を保持しつつ内容物１の取り出し操作を容易に行うことが可能である。
【００３２】
さらには、パウチ１０を半分に折って内容物を絞り出す際にも、指間でパウチを挟んだ状態で底部から開口１１へと斜めシール７に沿って指を移動させることにより、内容物を開口１１へと収束させつつ絞り出すことができ、パウチ１０の内容物を余すことなくきれいに絞り出すことが可能である。
【００３３】
また、本発明のユニバーサルパウチ１０の前記斜めシール７は、開口１１のみならず、底部４にかけて左右のシール幅３が増す斜めシール７Ｂを形成しても良い。
【００３４】
この場合、図５に示すように、開口１１にかけて左右のシール幅３が増す斜めシール７Ａの下方から、さらに底部４にかけて左右のシール幅３が増す斜めシール７Ｂを形成する。これにより、収容部１の形状が略菱形形状を形成するとともに、開口１１の左右側に幅広なシール部分からなる把持部８Ａが形成されつつ、パウチ１０の中央部分から底部にかけての左右側に幅広なシール部分からなる把持部８Ｂが形成されることとなる。
【００３５】
すなわち、開口１１直下の左右のシール部３の幅Ｗ１が、パウチの略中央部分の幅Ｗ２より大となり、また、底部直上の左右のシール部３の幅Ｗ３が、パウチの略中央部分の幅Ｗ２より大となる。これにより、左右のシール部３の上下部分に幅広のシール幅（Ｗ１、Ｗ３）からなる把持部８Ａ、８Ｂを形成するものである。
【００３６】
これにより、パウチ開封時において、開口１１付近の把持部８Ａを強固につまみつつ、切除片９を引き裂いてパウチ１０の初期開封を行うことが可能であるとともに、初期開封後の内容物を注ぎだす際に、図６に示すように、パウチ１０の開口付近の把持部８Ａと、底部の把持部８Ｂとを強固につまむことが可能である。よって、パウチ１０全体を安定して保持しつつ内容物の取出し操作を安定かつ容易に行なうことが可能である。
【００３７】
さらには、パウチ１０の収容部１が開口１１にかけて狭まる形状をなしており、内容物が斜めシール７Ａに沿って流動するとともに開口１１にかけて収束するため、内容物を一点に集中して注ぎ出すことが可能である。
【００３８】
また、パウチ１０の下シール部４において、開口１１にかけて凸形状からなる凸シール部１２を形成するとともに、パウチの下シール部４の外側シールから開口にかけて凸形状からなる凹部１３を形成した凸シール部１３を形成することにより、パウチ１０の底部をつまみやすくなるとともに、パウチを縦方向に折り込むことを視覚的に訴える効果がある。
【００３９】
以上のように、本発明のユニバーサルデザインパウチ１０は、左右のシール部３の幅Ｗが、開口１１にかけて増す斜めシール７Ａを形成し、さらには底部４にかけて増す斜めシール７Ｂを形成する簡単な構成により、幅広なシール部分からなる把持部８Ａ、８Ｂを形成して、パウチ１０全体を安定して保持することが可能である。よって、パウチ１０の開封操作および内容物を注ぎ出す操作をスムースかつ確実に行なうことが可能である。さらには、パウチ１０の収容部１が開口１１にかけて狭まった形状を形成するため、内容物を注ぎだす際、内容物を一点に集中して注ぎだすことが可能である。
【００４０】
本発明のユニバーサルパウチ１０の前記斜めシール７は、前記左右のシール部３の何れか一方に形成すればよく、必ずしも左右シール部３の両方に形成する必要はない。例えば、左のシール部のみを斜めシール７形状とし、右のシール部は通常の直線からなるシール形状であってもよい。また、斜めシール７の形状は、パウチ１０の形状や種類によって、適宜箇所に形成すればよく、収容部１が開口１１へと狭まる形状であれば前記斜めシール７の形状や形成箇所は限定されるものではない。よって、パウチの少なくとも一方の左右に斜めシールを形成し、さらにはパウチの下シール部分に凸シール部を形成することにより、パウチの開口部を除く、左右および下部分のシール形状を様々な形状としてパウチの持ちやすさや内容物の出しやすさのさらなる向上を図ることが可能である。
【００４１】
また、前記斜めシール７は、直線形状に限らず湾曲形状であってもよく、図７に示すように、左右のシール幅３が開口１１にかけて増す斜めシール７Ａの形状を、内方へと凸形状からなる湾曲形状Ｒとし、また、左右のシール幅３が底部にかけて増す斜めシール７Ｂの形状を直線形状Ｔとし、さらには、該直線形状Ｔの斜めシール７Ｂから連続して、再び底部４にかけて外方へと凸形状からなる湾曲形状Ｒの斜めシール７Ｂを形成してもよい。これにより、開口１１に把持部８Ａを形成するとともに、底部４付近に把持部８Ｂを形成することが可能であるとともに、収容部１の左右縁のシール形状が滑らかな曲線のつながりからなるため、収容部内の内容物がスムースに流動可能である。よって、内容物を注ぎだす際に、安定してパウチ１０を保持することが可能であるとともに、内容物がコーナー部分に溜まることなく開口１１へとスムースに注ぎ出される効果がある。
【００４２】
以上のように、本発明のユニバーサルデザインパウチ１０は、パウチの「持ちやすさ」「内容物の出しやすさ」を向上し、さらには、パウチを縦方向に折ることを視覚的にアピールするなど、幅広い年代の消費者が、スムースにパウチを使用することを可能とする「ユニバーサルデザイン」に基づいたパウチを提供することが可能である。
【００４３】
本発明のユニバーサルデザインパウチ１０の好適な用途の一例としては、例えば、詰め替え用のシャンプーや洗剤、牛乳パック、レトルトや食品用の容器、歯磨き粉チューブ、さらには、紙にアルミを蒸着したシップの包装材など、パウチの「持ちやすさ」および「内容物の出しやすさ」を向上することが可能な容器形態であれば、パウチの形状は限定されるものではない。
【００４４】
また、前記パウチ１０としては、スタンドパウチやピロータイプのパウチであってもよく、フィルムの外周をシールしてなるパウチであれば、パウチの形状は限定されるものではない。また、本発明のパウチ１０に用いるフィルムは、主にプラスチックフィルムを主体とする積層フィルムが用いられ、例えば、液体を含む各種食品用パウチに用いられている従来公知の積層フィルムを用いることができ、特に限定されるものではない。
【００４５】
前記積層フィルムの構成としては、充填される流動食の種類や充填後の加圧加熱殺菌時に加えられる加熱条件などによって適宜選定することができ、好適に用いられる前記積層フィルムの一例として、下記のような構成の積層フィルムが挙げられる。
【００４６】
（１） ＰＥＴフィルム／接着剤／アルミニウム箔／接着剤／ＯＮフィルム／接着剤／ＣＰＰフィルム（シーラント層）
（２）ＰＥＴフィルム／接着剤／ＯＮフィルム／接着剤／アルミニウム箔／接着剤／ＣＰＰフィルム（シーラント層）
（３）ＰＥＴフィルム／接着剤／ＥＶＯＨフィルム／接着剤／ＯＮフィルム／接着剤／ＣＰＰフィルム（シーラント層）
（４）ＰＥＴフィルム／接着剤／一軸延伸ＰＰフィルム／接着剤／アルミニウム箔／接着剤／ＣＰＰフィルム（シーラント層）
（５）ＰＥＴフィルム／接着剤／（シリカまたはアルミナ蒸着層）ＯＮフィルム／接着剤／ＣＰＰフィルム（シーラント層）
上記構成において、ＰＥＴフィルムは２軸延伸ポリエチレンテレフタレートフィルム、ＯＮフィルムは２軸延伸ナイロンフィルム、ＰＰフィルムはポリプロピレンフィルム、ＣＰＰフィルムは無延伸ポリプロピレンフィルム、ＥＶＯＨフィルムはエチレン−酢酸ビニル共重合体ケン化物フィルム、（シリカまたはアルミナ蒸着層）ＯＮフィルムはシリカまたはアルミナを蒸着した２軸延伸ナイロンフィルムを指すものである。
【００４７】
前記ＰＥＴフィルムやＯＮフィルムは、基材フィルムとして作用し、パウチに機械的強度のほか耐熱性、印刷適性などを付与する。また、中間層のアルミニウム箔、ＥＶＯＨフィルム、（シリカまたはアルミナ蒸着層）ＯＮフィルムは、パウチにガスバリヤー性を付与することが可能である。一軸延伸ＰＰフィルムは、本発明のパウチ１０では、その延伸方向がパウチの開口１１のフィルムを開封するための切取り線５の方向と一致するように積層することにより、開口１１のフィルムを切除する際、切取り線５に沿って容易に引き裂いて開封できるようになる。
【００４８】
そして、最内層のＣＰＰフィルムは、ヒートシール用のシーラント層として作用すると共に、耐熱性、低臭性に優れるので、パウチごと加圧加熱殺菌される流動食用のパウチには好ましく用いられる。尚、上述した各フィルム材と同様な作用効果を有するものであれば、前記の積層構成に限定されるものではなく、適宜変更して使用することができる。
【図面の簡単な説明】
【００４９】
【図１】本発明のユニバーサルパウチの一例を示すパウチの正面図である。
【図２】パウチ開封時の様子を示す説明図である。
【図３】開封後のパウチを示す説明図である。
【図４】パウチを半分に折り内容物を絞り出す際を示す説明図である。
【図５】本発明のユニバーサルパウチの別の例を示す正面図である。
【図６】内容物を注ぎだす際を示す説明図である。
【図７】本発明のユニバーサルパウチのさらに別の例を示す正面図である。
【符号の説明】
【００５０】
１  収容部
２  上シール部
３  左右のシール部
４  下シール部
５  切取り線
６  ノッチ
７、７Ａ、  斜めシール
８、８Ａ、８Ｂ  把持部
９  切除片
１０  ユニバーサルデザインパウチ（パウチ）
１１  開口
１２  凸シール部
１３  凸シール部（凹部）
Ｒ  湾曲形状のシール
Ｔ  直線形状のシール
Ｗ  左右のシール部の幅
Ｗ１  左右シール部の開口直下のシール幅
Ｗ２  左右シール部の略中央部分のシール幅
Ｗ３  左右シール部の底部直上のシール幅
【図１】
2008062961.tif 000003
【図２】
2008062961.tif 000004
【図３】
2008062961.tif 000005
【図４】
2008062961.tif 000006
【図５】
2008062961.tif 000007
【図６】
2008062961.tif 000008
【図７】
2008062961.tif 000009